(57)【要約】      （修正有）【課題】光コネクタプラグのプラグハウジングが嵌合途中で衝突音を発生し、その音が嵌合完了音であると作業者に誤解されるおそれがあることを解決する。【解決手段】筒状のコネクタハウジング１ａに内包した嵌合部に両端部の開口部１ｅ、１ｆから挿入される光コネクタプラグ同士をその光軸を一致させて嵌合させ光ファイバ同士を光接続する光コネクタ用アダプタ１であって、一方の開口部１ｅには該開口部を閉蓋するシャッター５と、前記コネクタハウジングの開口部１ｅ側の内部で前後方向に移動自在なスライダーが設けられている。該スライダーは、左右端部の前方側に前記シャッターの後端部と摺接して開閉作用するカム面３ａを有し、左右端部の側壁部を繋ぐ梁部分の一部で嵌合時の光コネクタプラグの一部が当接するように形成されており、前記コネクタハウジングには、スライダーを常に前方側へ付勢してシャッターを閉蓋させる弾性部材４が設けられている。【選択図】図１−Ａ
2013152416.tif 000002
【特許請求の範囲】
【請求項１】
筒状のコネクタハウジングに内包した嵌合部に前記コネクタハウジングの両端部の開口部から前記嵌合部へ挿入される光コネクタプラグ同士をその光軸を一致させて嵌合させ光ファイバ同士を光接続する光コネクタ用アダプタにおいて、
前記両端部の開口部のうち少なくとも一方の開口部には該開口部を閉蓋するシャッターが設けられ、
前記シャッターと前記嵌合部の間で前記コネクタハウジングの内部において前記一方の開口部の内側周囲を光コネクタプラグの嵌合時において挿入に必要な貫通孔を確保して囲うように形成するとともに前記シャッターの後端部と摺接して開閉作用するカム面を左右端部の前方側に有し、前記カム面を有する左右端部の側壁部を繋ぐ梁部分の一部で嵌合時の前記光コネクタプラグにおけるプラグハウジングの一部が当接するように形成されて前記コネクタハウジングの内部で前後方向に移動自在なスライダーが設けられ、
前記スライダーを常に前方側へ付勢して前記カム面を介して前記シャッターを閉蓋させる弾性部材が設けられてなること、
を特徴とする光コネクタ用アダプタ。
【請求項２】
シャッターは、略矩形状の板体であって光コネクタ用アダプタのコネクタハウジングに取り付けた状態における前後方向の前端部側に回動用の軸が左右方向に設けられ、この軸がコネクタハウジング側の支持部で回動自在に支持され、このシャッターによる一方の開口部の開閉操作は、該シャッターの後端部に摺接するスライダーのカム面によって弾性部材でスライダーが前方に移動したときに当該シャッターの後端部が持ち上げられて前記一方の開口部が閉蓋され、前記光コネクタ用アダプタに挿入される光コネクタプラグの前から後への進入によって前記スライダーを前記カム面を介して後方へ押し込むとともに前記一方の開口部が拡開されること、
を特徴とする請求項１に記載の光コネクタ用アダプタ。
【請求項３】
シャッターの後端部における左右方向の両端部に、挿入される光コネクタプラグの挿入先端部を挿入ガイドする挿入ガイド部が設けられていること、
を特徴とする請求項１または２に記載の光コネクタ用アダプタ。
【請求項４】
シャッターの後端部の左右方向で中央部に、光コネクタプラグのキー突起が衝突しないように防止する凹溝部が設けられていること、
を特徴とする請求項１乃至３のいずれかに記載の光コネクタ用アダプタ。
【請求項５】
スライダーの梁部においてシャッターの閉蓋時に該シャッターの後端部が当接する部分には、当該シャッター後端部の凹溝部の一部を埋める突起が設けられていること、
を特徴とする請求項１乃至４のいずれかに記載の光コネクタ用アダプタ。
【請求項６】
コネクタハウジングに内包されシャッター側のスリーブを有するスリーブ用ハウジングにおいて、そのスリーブ用ハウジングの上部梁に、光コネクタプラグとの嵌合完了を確認する嵌合確認窓が設けられていること、
を特徴とする請求項１乃至５のいずれかに記載の光コネクタ用アダプタ。
【請求項７】
コネクタハウジングの天井に一端部が嵌合確認窓として開口され該嵌合確認窓に連通して前後方向に閉鎖され、且つ、前部が前方向に向けて開口されている空間部が前記天井下壁面に形成された前記コネクタハウジングと、
スライダーの上部の梁部分から前記空間部の前部の開口部に同じ断面形状で嵌合して外部からの異物侵入を防止する蓋部材が延設され、該蓋部材が嵌合時において後方へ移動したときに当該蓋部材の上面が前記嵌合確認窓から露出して視認され嵌合完了の位置決めとなる蓋兼用嵌合確認部材が前記スライダーに設けられていること、
を特徴とする請求項１乃至５のいずれかに記載の光コネクタ用アダプタ。
【請求項８】
スライダーの下部に、一方の開口部から嵌合・挿入される光コネクタプラグのプラグフレームが当接し該プラグフレームの後方移動によって前記スライダーと共に後方に付勢力に抗して押し込まれ、且つ、前記光コネクタプラグのプラグハウジングに当接せず該プラグハウジングの後方移動によっても後方に押し込まれない移動用突起部が設けられていること、
を特徴とする請求項７に記載の光コネクタプラグ。
【請求項９】
嵌合確認窓の近傍部分において、嵌合完了時に前記嵌合確認窓に進入してくる嵌合確認部材によって電気的接続がｏｎ／ｏｆｆされる電気スイッチが設けられていること、
を特徴とする請求項７乃至８に記載の光コネクタプラグ。
【発明の詳細な説明】
【技術分野】
【０００１】
本発明は、コネクタハウジングの両端に光コネクタと嵌合する嵌合部を備えるとともに、有害なレーザービームが目に当たらないように保護するシャッターを備えた光コネクタ用アダプタに関するものである。
【背景技術】
【０００２】
従来、図１７に示すように、コネクタハウジング２４ａの両端に、光学軸が一致するように光コネクタの嵌合部２４ｂと、その他の光学部品の嵌合部２４ｃとをそれぞれ備えている光コネクタ用アダプタ２４がある。また、前記嵌合部のいずれか一方の開口部にシャッターを備えるものとして、前記嵌合部を斜め配置で閉鎖するシャッター板と、該シャッター板を閉鎖方向へ付勢する板バネとを配設し、前記シャッター板のある側の前記嵌合部に光コネクタを嵌合することによって前記シャッター板を板ばねの押圧力に抗して開放するようにした光コネクタ用アダプタ（特許文献１参照）が知られている。
【先行技術文献】
【特許文献】
【０００３】
【特許文献１】特開２００８−２２５１３３号公報
【発明の概要】
【発明が解決しようとする課題】
【０００４】
従来の光コネクタ用アダプタ２４においては、例えば、図１６−Ａ〜図１６−Ｃに示すように、ＪＩＳ  Ｃ  ５９７３で規定するＳＣ形光コネクタプラグ２１だけでなく、これに準拠した嵌合部を有する光コネクタプラグ２２，２３を、嵌合できるようになっている。その場合に、図１８に示すように、ＳＣ形準拠の前記光コネクタプラグ２３で説明すると、この光コネクタプラグ２３におけるプラグハウジング２３ｂがアダプタ側の係止片２４ｄを拡開させて嵌合方向へ移動中に、当該プラグハウジング２３ｂを前方に付勢するバネ部材（図１９−Ａ（Ｂ）参照）の付勢力が強くなって、前記係止片２４ｄと前記プラグハウジング２３ｂとの摩擦力に打ち勝ってしまう。その結果、このプラグハウジング２３ｂを前方に勢いよく押し出し、図１９−Ａ、図１９−Ｂに示すように、光コネクタ用アダプタ２４のコネクタハウジング２４ａ端面若しくは係止片２４ｄ端面に衝突して（図中の＊印部分）大きな音が発生する。その後に、嵌合完了のロック音が発生する。なお、図１６−Ａに示すＳＣ形光コネクタプラグ２１に場合には、プラグハウジングを付勢するバネ部材がないので、このようなことは起きない。
【０００５】
このように、前記ＳＣ形準拠の光コネクタプラグ２３と光コネクタ用アダプタ２４との嵌合時に、２回音が発生することになる。かかる場合に、最初の音でプラグとアダプタとの嵌合が完了したものと作業者が勘違いすることがあり、光接続が未接続のままになるという不都合が生じる場合がある。即ち、光コネクタプラグ等の接続作業においては、作業環境により、直接、作業者が手先部分の嵌合箇所を直視して行うことが出来ない場合が多くあり、そのようなときに、前記発生する最初の音が、嵌合させる光コネクタプラグの嵌合完了時のロック音と間違うことがある。
【０００６】
また、前記光コネクタ用アダプタの嵌合口には、光コネクタプラグの先端部を挿入時に挿入方向に直交する左右方向の挿入ガイド部材が無いので、挿入の操作性が悪いという課題がある。本発明に係る光コネクタ用アダプタは、このような課題を解決するために提案されたものである。
【課題を解決するための手段】
【０００７】
本発明に係る光コネクタ用アダプタの上記課題を解決して目的を達成するための要旨は、筒状のコネクタハウジングに内包した嵌合部に前記コネクタハウジングの両端部の開口部から前記嵌合部へ挿入される光コネクタプラグ同士をその光軸を一致させて嵌合させ光ファイバ同士を光接続する光コネクタ用アダプタにおいて、
前記両端部の開口部のうち少なくとも一方の開口部には該開口部を閉蓋するシャッターが設けられ、
前記シャッターと前記嵌合部の間で前記コネクタハウジングの内部において前記一方の開口部の内側周囲を光コネクタプラグの嵌合時において挿入に必要な貫通孔を確保して囲うように形成するとともに前記シャッターの後端部と摺接して開閉作用するカム面を左右端部の前方側に有し、前記カム面を有する左右端部の側壁部を繋ぐ梁部分の一部で嵌合時の前記光コネクタプラグにおけるプラグハウジングの一部が当接するように形成されて前記コネクタハウジングの内部で前後方向に移動自在なスライダーが設けられ、
前記スライダーを常に前方側へ付勢して前記カム面を介して前記シャッターを閉蓋させる弾性部材が設けられてなることである。
【０００８】
前記シャッターは、略矩形状の板体であって光コネクタ用アダプタのコネクタハウジングに取り付けた状態における前後方向の前端部側に回動用の軸が左右方向に設けられ、この軸がコネクタハウジング側の支持部で回動自在に支持され、このシャッターによる一方の開口部の開閉操作は、該シャッターの後端部に摺接するスライダーのカム面によって弾性部材でスライダーが前方に移動したときに当該シャッターの後端部が持ち上げられて前記一方の開口部が閉蓋され、前記光コネクタ用アダプタに挿入される光コネクタプラグの前から後への進入によって前記スライダーを前記カム面を介して後方へ押し込むとともに前記一方の開口部が拡開されることである。
【０００９】
前記シャッターの後端部における左右方向の両端部に、挿入される光コネクタプラグの挿入先端部を挿入ガイドする挿入ガイド部が設けられていることである。
また、前記シャッターの後端部の左右方向で中央部に、光コネクタプラグのキー突起が衝突しないように防止する凹溝部が設けられていることを含み、更に、前記スライダーの梁部においてシャッターの閉蓋時に該シャッターの後端部が当接する部分には、当該シャッター後端部の凹溝部の一部を埋める突起が設けられていることである。
更に、コネクタハウジングに内包されシャッター側のスリーブを有するスリーブ用ハウジングにおいて、そのスリーブ用ハウジングの上部梁に、光コネクタプラグとの嵌合完了を確認する嵌合確認窓が設けられていることを含むものである。
【００１０】
前記コネクタハウジングの天井に一端部が嵌合確認窓として開口され該嵌合確認窓に連通して前後方向に閉鎖され且つ、前部が前方向に向けて開口されている空間部が前記天井下壁面に形成された前記コネクタハウジングと、
スライダーの上部の梁部分から前記空間部の前部の開口部に同じ断面形状で嵌合して外部からの異物侵入を防止する蓋部材が延設され、該蓋部材が嵌合時において後方へ移動したときに当該蓋部材の上面が前記嵌合確認窓から露出して視認され嵌合完了の位置決めとなる蓋兼用嵌合確認部材が前記スライダーに設けられていることを含む。
【００１１】
また、前記スライダーの下部に、一方の開口部から嵌合・挿入される光コネクタプラグのプラグフレームが当接し該プラグフレームの後方移動によって前記スライダーと共に後方に付勢力に抗して押し込まれ、且つ、前記光コネクタプラグのプラグハウジングに当接せず該プラグハウジングの後方移動によっても後方に押し込まれない移動用突起部が設けられていることを含む。
更に、前記嵌合確認窓の近傍部分において、嵌合完了時に前記嵌合確認窓に進入してくる嵌合確認部材によって電気的接続がｏｎ／ｏｆｆされる電気スイッチが設けられていることを含むものである。
【発明の効果】
【００１２】
本発明の光コネクタ用アダプタによれば、前記スライダー及び弾性部材でシャッターの閉蓋作用をするとともに、光コネクタプラグにおけるキー突起の先端面が、スライダーの突起の先端面に衝突する。このとき、多少の音が発生する。その音は、前記キー突起の先端部と前記スライダーの突起とが衝突するまでの距離が短く、前記スライダーが弾性部材で付勢されているので、衝突の衝撃を吸収し、発生する音が非常に小さくなる。よって、嵌合完了音と間違うという不都合が解消される。
【００１３】
また、シャッターが前記スライダーおよび弾性部材によって開口部を閉蓋され、前記スライダーは前記光コネクタプラグのキー突起先端面の衝突音を小さくするだけでなくシャッターの閉蓋作用にも兼用されている。
更に、シャッターの後端部における左右方向の両端部に、挿入される光コネクタプラグの挿入先端部を挿入ガイドする挿入ガイド部が設けられているので、光コネクタプラグの挿入の作業性が良くなり、斜めに挿入して引っかかるなどの不都合が解消される。
【００１４】
前記シャッターの後端部の左右方向で中央部に、光コネクタプラグのキー突起が衝突しないように防止する凹溝部が設けられているので、アダプタに挿入する光コネクタプラグが上下反対でも、支障なくアダプタに挿入することができる。
更に、前記スライダーの梁部においてシャッターの閉蓋時に該シャッターの後端部が当接する部分には、当該シャッター後端部の凹溝部の一部を埋める突起が設けられているので、開口部の遮光性および防塵性が良好に維持されるようになる。
嵌合確認窓をスリーブ用ハウジングに設けたことで、視覚的にも嵌合完了を確認することができるようになる、など数々の優れた効果を奏するものである。
【００１５】
嵌合確認窓において、蓋兼用嵌合確認部材を前記スライダーに設けることで、嵌合確認窓からの塵埃などの異物の侵入を防止することができる。また、スライダーの下部に移動用突起を設けることで、嵌合の完了時につき、間違い無く確認することができる。更に、視覚的な判断に加えて、電気的信号によって電気的手段により嵌合完了を確認できるようになる。
【図面の簡単な説明】
【００１６】
【図１−Ａ】本発明に係る光コネクタ用アダプタ１で、嵌合前の状態の縦断面図（Ａ）、同じく前方からの斜視図（Ｂ）、後方からの斜視図（Ｃ）である。
【図１−Ｂ】本発明の第３実施例に係る光コネクタ用アダプタ６の斜視図（Ａ）、縦断面図（Ｂ）である。
【図２】同本発明の光コネクタ用アダプタ１で、嵌合時におけるシャッター５が開成された状態の縦断面図（Ａ）、前方からの斜視図（Ｂ）である。
【図３】同光コネクタ用アダプタ１におけるコネクタハウジング１ａの平面図（Ａ）、正面図（Ｂ）、背面図（Ｃ）である。
【図４−Ａ】同コネクタハウジング１ａの前方からの斜視図（Ａ）、後方からの斜視図（Ｂ）、図３（Ａ）におけるＡ−Ａ線に沿った断面図（Ｃ）である。
【図４−Ｂ】光コネクタ用アダプタ６におけるコネクタハウジング１ａの斜視図（Ａ），（Ｂ）、平面図（Ｃ）、正面図（Ｄ）、Ａ−Ａ線に沿った断面図（Ｅ）である。
【図５】スリーブ用ハウジング２の平面図（Ａ）、正面図（Ｂ）、背面図（Ｃ）である。
【図６−Ａ】同スリーブ用ハウジング２の前方斜視図（Ａ）、側面図（Ｂ）、図５（Ａ）におけるＡ−Ａ線に沿った断面図（Ｃ）、後方からの斜視図（Ｄ）である。
【図６−Ｂ】本発明に係る発明の実施例２に係るスリーブ用ハウジング２ｋの斜視図（Ａ）、平面図（Ｂ）である。
【図７】光コネクタ用アダプタ１におけるスライダー３の前方斜視図（Ａ）、側面図（Ｂ）、後方斜視図（Ｃ）である。
【図８−Ａ】同スライダー３の正面図（Ａ）、平面図（Ｂ）、背面図（Ｃ）である。
【図８−Ｂ】同第３実施例におけるスライダー７の斜視図（Ａ），（Ｂ）、平面図（Ｃ）、縦断面図（Ｄ）である。
【図９】同光コネクタ用アダプタ１におけるシャッター５の斜視図（Ａ）、平面図（Ｂ）、正面図（Ｃ）、背面図（Ｄ）である。
【図１０】同シャッター５の側面図（Ａ）、図９（Ｂ）におけるＡ−Ａ線に沿った断面図（Ｂ）である。
【図１１】同シャッター５のガイド挿入部５ａの作用を示す説明用斜視図（Ａ）と平面図（Ｂ）とである。
【図１２】シャッター５の凹溝部５ｂの作用を示す説明用斜視図である。
【図１３−Ａ】本発明に係る光コネクタ用アダプタ１の使用例を示す説明用斜視図（Ａ）、平面図（Ｂ）、側面図（Ｃ）である。
【図１３−Ｂ】光コネクタ用アダプタ１におけるシャッター５とスライダー３との開閉と移動との関係を示す説明図（Ａ）、（Ｂ）、（Ｃ）である。
【図１４−Ａ】光コネクタ用アダプタ１と光コネクタプラグ２３との嵌合状態を示す説明図で斜視図（Ａ）と、平面図とである。
【図１４−Ｂ】第２実施例に係るスリーブ用ハウジング２ｋの使用状態で、光コネクタプラグ２３との嵌合途中の状態を示す斜視図（Ａ）、平面図（Ｂ）である。
【図１４−Ｃ】第３実施例に係る光コネクタ用アダプタ６の使用状態を示す斜視図であり、光コネクタプラグ２３との嵌合途中の状態の斜視図（Ａ）、コネクタハウジング１ａを省いた状態の斜視図（Ｂ）、平面図（Ｃ）である。
【図１４−Ｄ】同第３実施例に係る光コネクタ用アダプタ６の使用状態を示す、コネクタハウジング１ａを省いた状態の平面図（Ａ）、光コネクタ用アダプタ６の縦断面図（Ｂ）である。
【図１５−Ａ】光コネクタ用アダプタ１と光コネクタプラグ２３との嵌合完了状態を示す説明図で斜視図（Ａ）と、平面図（Ｂ）とである。
【図１５−Ｂ】第２実施例に係るスリーブ用ハウジング２ｋの使用状態で、光コネクタプラグ２３との嵌合が完了した状態が嵌合確認窓２ｍで確認できることを示す斜視図（Ａ）、平面図（Ｂ）である。
【図１５−Ｃ】第３実施例に係る光コネクタ用アダプタ６の嵌合完了状態を示す斜視図（Ａ）、コネクタハウジング１ａを省いた状態の斜視図（Ｂ）、平面図（Ｃ）である。
【図１５−Ｄ】同第３実施例に係る光コネクタ用アダプタ６の嵌合完了状態を示す、コネクタハウジング１ａを省いた状態の平面図（Ａ）、縦断面図（Ｂ）である。
【図１５−Ｅ】第４実施例に係る光コネクタ用アダプタ８の斜視図（Ａ）,平面図（Ｂ）、側面図（Ｃ）である。
【図１６−Ａ】ＳＣ形光コネクタプラグ２１の平面図（Ａ）、側面図（Ｂ）、正面図（Ｃ）である。
【図１６−Ｂ】同ＳＣ形準拠の光コネクタプラグ２２の平面図（Ａ）、側面図（Ｂ）、正面図（Ｃ）である。
【図１６−Ｃ】同ＳＣ形準拠の光コネクタプラグ２３の平面図（Ａ）、側面図（Ｂ）である。
【図１７】従来の光コネクタ用アダプタ２４の、半断面にした側面図（Ａ）、正面図（Ｂ）、半断面にした平面図（Ｃ）である。
【図１８】光コネクタプラグ２３と光コネクタ用アダプタ２４との嵌合状態を説明する平面図（Ａ）と、Ｃ−Ｃ線に沿った断面図（Ｂ）とである。
【図１９−Ａ】同光コネクタプラグ２３と光コネクタ用アダプタ２４との嵌合時において音が発生する状態を説明する平面図（Ａ）とＡ−Ａ線に沿った断面図（Ｂ）とである。
【図１９−Ｂ】同光コネクタプラグ２３と光コネクタ用アダプタ２４との嵌合時において音が発生する状態を説明する側面図（Ａ）とＢ−Ｂ線に沿った断面図（Ｂ）とである。
【発明を実施するための形態】
【００１７】
本発明に係る光コネクタ用アダプタ１は、図１−Ａと図２に示すように、一方の開口部１ｅにシャッター５と該シャッター５を閉蓋させるスライダー３とを設けたものである。光コネクタプラグのプラグハウジングが嵌合時にバネ付勢力で挿入方向に強く押されて移動しても、アダプタ側のコネクタハウジング端面に当接する前に、前記スライダー３の前端面が先に当接するによって、衝突音を低く抑えることができるものである。また、前記シャッター５の後端部の左右両端側に挿入用の挿入ガイド部５ａが設けられていることで、前記光コネクタプラグの先端部がガイドされて挿入の操作性が良くなるものである。
【実施例１】
【００１８】
前記光コネクタ用アダプタ１は、図１−Ａと図２に示すように、矩形筒状のコネクタハウジング１ａに内包した嵌合部（１ｂ，２ａ，２ｂ，１ｃ）に前記コネクタハウジング１ａの両端部の開口部１ｅ，１ｆから前記嵌合部へ挿入される光コネクタプラグ２１，２２，２３同士をその光軸を一致させて嵌合させ光ファイバ同士を光接続するものである。
【００１９】
前記両端部の開口部１ｅ，１ｆのうち少なくとも一方の開口部、実施例では開口部１ｅを閉蓋する、図９に示すシャッター５が設けられている。当該光コネクタ用アダプタ１の各構成物品の構成について説明する。
【００２０】
図３乃至図４−Ａに前記コネクタハウジング１ａを示す。矩形状の筒体であり、開口部１ｅ側には、スリーブ用ハウジング２（図５乃至図６−Ａ参照）を嵌合・固定するための係止孔１ｇが設けられている。この開口部１ｅを形成する側壁１ｈの前方端部は斜めにカットされている。また、開口部１ｆ側には、スリーブ１ｂと、係止片１ｄが設けられている。上下の壁面には嵌合相手のキー突起（図１６−Ａの２１ｂ，図１６−Ｃの２３ｅ）を受け入れるスリット１ｊが設けられている。符号１ｋは、弾性部材４用のバネ受け座における位置決めの突起を示している。
【００２１】
図５乃至図６−Ａにスリーブ用ハウジング２を示す。これは、前記コネクタハウジング１ａの一方の開口部１ｅから嵌合され、前記超コネクタハウジング１ａと一体になるものである。図示するように、フェルールを嵌合させる円筒状のスリーブ２ａおよび嵌合用の係止片２ｂ，２ｃが後方側に設けられている。
【００２２】
また、両側壁２ｄ，２ｅには、係合突起２ｇが設けられ、前記コネクタハウジング１ａに嵌合されたときに、その側壁１ｈの係止孔１ｇに内側から外に飛び出して係合する。前記両側壁２ｄ，２ｅを繋ぐ前方梁２ｆには、軸孔２ｊが形成されている。シャッター５の軸５ｃを軸支するものである。
【００２３】
更に、上方梁２ｉには、図６−Ａ（Ｃ），（Ｄ）に示すように、その中央部に凹溝２ｈが形成され、光コネクタプラグ２１，２３のキー突起２１ｂ，２３ｅを通過させるようになっている。
【００２４】
また、図９に示す前記シャッター５と前記嵌合部（スリーブ２ａ，係止片２ｂ，割りスリーブ１ｃ）の間で、前記コネクタハウジング１ａの内部において、図７乃至図８に示すように、前記一方の開口部１ｅの内側周囲を光コネクタプラグ２１，２３の嵌合時において挿入に必要な貫通孔を確保して囲うように筐体が形成されてなるスライダー３がある。
【００２５】
前記スライダー３は、前記シャッター５の後端部と摺接して開閉作用するカム面３ａを左右端部の前方側に有している。そして、前記カム面３ａを有する左右端部の側壁部３ｂを上下で繋ぐ梁部分３ｃ，３ｄがある。前記梁部分３ｃには、その中央部に突起３ｅが設けられている。この突起３ｅは、嵌合時の前記光コネクタプラグ２１，２３におけるプラグハウジングのキー突起２１ｂ，２３ｅの先端面が当接するように形成されている。
【００２６】
前記スライダー３の梁部３ｃにおける前記突起３ｅは、シャッター５の閉蓋時に該シャッター５の後端部が当接して、図９（Ａ）に示す当該シャッター５後端部の凹溝部５ｂの一部を埋める。これにより、遮光性と防塵性とが良好に維持される。
また、図７（Ｃ）に示すように、スライダー３の梁部分３ｄの中央部に、バネ位置決め用の位置決め突起３ｆが後方に向かって突設されている。
【００２７】
また、図１−Ａと図２に示すように、前記スライダー３を常に前方側へ付勢して前記カム面３ａを介して前記シャッター５を閉蓋させる弾性部材４が設けられている。
【００２８】
前記シャッター５は、図９乃至図１０に示すように、略矩形状の板体であって光コネクタ用アダプタ１のコネクタハウジング１ａに取り付けた状態における、前後方向の前端部側に回動用の軸５ｃが左右方向の端部に設けられている。
【００２９】
前記軸５ｃがコネクタハウジング１ａ側の支持部（軸孔２ｊ）で回動自在に支持されている。このシャッター５による一方の開口部の開閉操作は、該シャッター５の後端部に摺接するスライダー３のカム面３ａによって弾性部材４でスライダー３が前方に移動したときに、当該シャッター５の後端部が持ち上げられて前記一方の開口部１ｅが閉蓋される。そして、前記光コネクタ用アダプタ１に挿入される光コネクタプラグ２１〜２３の前から後への進入によって、前記スライダー３を前記カム面３ａを介して後方へ押し込むとともに、前記シャッター５が斜め状態から水平に倒されて前記一方の開口部１ｅが拡開されるのである。
【００３０】
また、図９（Ａ）に示すように、前記シャッター５の後端部における左右方向の両端部に、挿入される光コネクタプラグ２１〜２３の挿入先端部をテーパ面によって挿入ガイドする挿入ガイド部５ａが設けられている。図１１に示すように、挿入される光コネクタプラグ２１の先端部を一方の開口部１ｅの中央にガイドする作用を発揮するものである。
【００３１】
更に、図９（Ａ）に示すように、前記シャッター５の後端部の左右方向で中央部に、光コネクタプラグ２１，２３のキー突起２１ｂ，２３ｅ、が衝突しないように防止する凹溝部５ｂが設けられている。これにより、図１２に示すように、例えば、前記光コネクタプラグ２１，２３が上下逆さまにして光コネクタ用アダプタ１の一方の開口部１ｅに差し込まれた場合、前記凹溝部５ｂを前記キー突起２１ｂ，２３ｅが通過することが出来て、嵌合に支障が無いものである。
【００３２】
このような光コネクタ用アダプタ１の使用例を説明する。嵌合する光コネクタプラグはＳＣ形準拠の光コネクタプラグ２３で説明する。なお、光コネクタプラグ２１は、弾性部材での付勢が構造上無いので２回音が生じることがなく、光コネクタプラグ２２は、プラグハウジングが付勢されて、前記スリーブ用ハウジング２の上部梁２ｉに当接するので２回音が生じることが無いので、説明を省略する。
【００３３】
図１３−Ａ（判りやすくするためコネクタハウジング１ａを省略してある）に示すように、光コネクタプラグ２３を開口部１ｅ側からツマミ２３ｄを掴んで押して、光コネクタ用アダプタ１に挿入すると、図１３−Ｂ（Ａ）に示すように、前記光コネクタプラグ２３のプラグハウジング２３ｂの先端部でシャッター５を押し、これにより、シャッター５が軸５ｃを中心にして下方に回転する。
【００３４】
それにより、図１３−Ｂ（Ｂ）に示すように、シャッター５の先端部の左右両端部が、当接しているスライダー３のカム面３ａを後方へと押しやる。よって、スライダー３は、弾性部材４の前方への付勢力に抗して移動され、後退することになる。
【００３５】
図１４−Ａに示すように、光コネクタプラグ２３のプラグハウジング２３ｂが、スリーブ用ハウジング２の係止片２ｂ，２ｃ先端部と接触してこれを拡開させている途中で、光コネクタプラグ２３側の弾性部材の付勢力が大きくなって、前記プラグハウジング２３ｂを後方へ押し出してしまう。
【００３６】
前記光コネクタプラグ２３のプラグハウジング２３ｂの一部であるキー突起２３ｅの先端面２３ｆは、スライダー３の突起３ｅの先端面に衝突する。このとき、多少の音が発生する。その音は、前記キー突起２３ｅの先端部と前記突起３ｅとが衝突するまでの距離が短く、スライダー３が弾性部材４で付勢されているので、衝突の衝撃を吸収し、発生する音が非常に小さくなるものである。よって、光コネクタプラグ嵌合する作業者が、挿入完了の音と勘違いすることが無い。
【００３７】
その後、図１５−Ａに示すように、前記ツマミ２３ｄを押して光コネクタプラグ２３を更に挿入させることで、光コネクタ用アダプタ１側の係止片２ｂ，２ｃが前記光コネクタプラグ２３のスリーブと係合してロック音の発生とともにロックし、嵌合が完了する。作業者は、このロック音を聞いて、嵌合完了を確認する。
【００３８】
前記ツマミ２３ｄを前方に引くことで、光コネクタプラグ２３が光コネクタ用アダプタ１から脱着され、図２に示す状態から図１−Ａに示す状態に戻される。開口部１ｅは、弾性部材４とスライダー３とによって、カム面３ａで持ち上げられたシャッター５によって閉蓋され、突起３ｅでスリーブ用ハウジング２の凹溝２ｈも塞がれて、遮光性と防塵性とが維持される。
【実施例２】
【００３９】
本発明に係る第２実施例は、図６−Ｂ、図１４−Ｂ、図１５−Ｂに示すように、スリーブ用ハウジング２ｋにおいて、上部梁２ｉに嵌合確認窓２ｍを設けたものである。これにより、前記光コネクタプラグ２３との嵌合作業において、光コネクタプラグ２３の突起部２３ｇの端面位置と、嵌合確認窓２ｍの壁端面が一致することで、嵌合完了の確認となる。こうして、音だけでなく視覚により確実に嵌合完了状態が確認できる。また、ツマミ２３ｄの先端部と上部梁２ｉの端面との位置合わせによる嵌合完了確認が、視覚的に不明確であったことが解消されるものである。
【実施例３】
【００４０】
本発明に係る第３実施例は、図１−Ｂ、図４−Ｂ、図８−Ｂに示すように、嵌合確認窓をコネクタハウジング１ａ側に設けて、そこに、出没させて視覚的に確認する部材を設けると共に、色彩も加味して確認しやすくし、その一方で、その確認手段からコネクタ内部に塵埃等の異物が侵入しないようにした光コネクタ用アダプタ６とするものである。
【００４１】
前記コネクタハウジング１ａは、図１−Ｂに示すように、コネクタハウジングの天井に嵌合確認窓１ｍを設ける。この外形状は、矩形状、丸形状、楕円形状等のいずれでも良い。そして、前記嵌合確認窓１ｍの部分を一端部として該嵌合確認窓に連通してコネクタハウジング１ａの前後方向に、図１−Ｂ（Ｂ）と図４−Ｂ（Ｄ）に示すように、閉鎖された空間部１ｎが前記天井下壁面に形成されている。そして、該空間部１ｎの前部が前方向に向けて開口されている。
【００４２】
前記空間部１ｎは、前部分が開口され、後方部分は、前記嵌合確認窓１ｍで上に向けて開口されているので、この空間部１ｎを通して、光コネクタ用アダプタ６の内部に塵埃等の異物が侵入できるので、これを防止する必要がある。
【００４３】
そこで、図８−Ｂ（Ａ）〜（Ｄ）に示すように、スライダー７の上部の梁部分３ｃから前記空間部１ｎの前部の開口部に同じ断面形状で嵌合して外部からの異物侵入を防止する蓋部材が延設される。
【００４４】
更に、前記蓋部材が嵌合時における後方へ移動したときに、当該蓋部材の上面が前記嵌合確認窓１ｍから露出して視認され嵌合完了の位置決めとなる蓋兼用嵌合確認部材３ｈが前記スライダー７に設けられている。この蓋兼用嵌合確認部材３ｈによって、異物の侵入が防止され、嵌合確認がなされるものである。
【００４５】
なお、前記確認窓１ｍから露出する蓋部材の上面に、コネクタハウジング１ａの色彩と異なる色彩を塗布若しくは貼付して施すか、若しくは、蓋兼用嵌合確認部材３ｈ若しくはスライダー７に異なる色彩の樹脂材料を使用するかによって、コネクタハウジング１ａの色彩とことなる色彩により、目視で明確に確認できるようにするのが好ましい。
【００４６】
また、スライダー７の下部に、即ち、前記スライダー７の下側の梁部分３ｄには、一方の開口部から嵌合・挿入される光コネクタプラグ２３のプラグフレーム２３ｈ先端が当接し該プラグフレーム２３ｈの後方移動によって前記スライダー７と共に後方に付勢力に抗して押し込まれ、且つ、前記光コネクタプラグ２３のプラグハウジング２３ｂに当接せず該プラグハウジング２３ｂの後方移動によっても後方に押し込まれない移動用突起部３ｉが設けられている。
【００４７】
前記移動用突起部３ｉは、図８−Ｂ（Ｄ）に示すように、断面コ字形に形成され、前方の端面が、位置決め端面３ｋとなっており、コ字形の凹部３ｊは、嵌合相手の光コネクタプラグ２３におけるプラグハウジング２３ｂの後端部が入り込むようになっている。この凹部３ｊによって、嵌合時に勢い良く後方に突出するプラグハウジング２３ｂとの衝突を裂けるものである。プラグハウジング２３ｂによる衝突音は、キー突起２３ｅとスライダー７の突起３ｅとの衝突で発生し、小さい音である。
【００４８】
このような上面に嵌合確認窓１ｍを有するコネクタハウジング１ａとした光コネクタ用アダプタ６を使用すれば、図１４−Ｃ（Ａ）〜（Ｃ）、図１４−Ｄ（Ａ），（Ｂ）に示すように、シャッター側の開口部から挿入される光コネクタプラグ２３によって、プラグハウジング２３ｂが、バネ部材の付勢力によって後方に押し出され、キー突起２３ｅの先端面２３ｆがスライダー７の突起３ｅに当接し、プラグハウジング２３ｂの先端が凹部３ｊに嵌り込む。このときの衝突音は小さいものである。
【００４９】
前記プラグハウジグ２３ｂの後方への移動により、スライダー７が後方に移動するが、嵌合完了位置まで移動するものではない。その後、前記光コネクタプラグ２３の後方への挿入によって、プラグフレーム２３ｈの後方先端が、スライダー７の移動用突起部３ｉの前方の位置決め端面３ｋに当接して押し込み、スライダー７がバネ４の付勢力に抗して後方へと強制的に移動される。
【００５０】
そして、前記光コネクタプラグ２３と光コネクタ用アダプタ６の嵌合が完了すると、図１５−Ｃ（Ａ）〜（Ｃ）、図１５−Ｄ（Ａ），（Ｂ）に示すように、コネクタハウジング１ａの嵌合確認窓１ｍには、前記蓋兼用嵌合確認部材３ｈの上面が露出する。
【００５１】
前記蓋兼用嵌合確認部材３ｈの上面の色彩が、周囲のコネクタハウジング１ａの色彩と異なるので、はっきりと嵌合完了が目視によって確認できる。また、図１５−Ｄ（Ｂ）に示すように、前記プラグフレーム２３ｈの先端面が前記位置決め端面３ｋに当接しており、凹部３ｊにおいてはプラグハウジング２３ｂの先端との間に間隙ができる。また、図１５−Ｃ（Ｂ），図１５−Ｄ（Ａ）に示すように、キー突起２３ｅの先端面２３ｆと突起３ｅとの間に間隙ができる。スライダー７が、前記プラグフレーム２３ｈによって、嵌合完了位置まで強制的に後方へ移動させられたからである。
【００５２】
このように、嵌合確認が色彩による相違も加わり確実になされ、塵埃等が嵌合確認窓１ｍから光コネクタ用アダプタ６内部へ侵入するのが防止され、嵌合時のプラグハウジング２３ｂによる衝突音も小さいものである。
【実施例４】
【００５３】
本発明に係る第４実施例の光コネクタ用アダプタ８は、図１５−Ｅに示すように、コネクタハウジング１ａに設けた嵌合確認窓の近傍部分において、嵌合完了時に前記嵌合確認窓１ｍに進入してくる嵌合確認部材によって電気的接続がｏｎ／ｏｆｆされる電気スイッチ１ｐが設けられている。この電気スイッチ１ｐは、例えば、前記蓋兼用嵌合確認部材３ｈが後方に移動して嵌合完了位置に来ると、機械式スイッチによって電気的にｏｎ／ｏｆｆされるのである。具体的な構造については、既存の構成例を適用できるものである。
また、機器との接続用に接続端子１ｑが設けられている。
【００５４】
この第４実施例により、嵌合確認を目視する以外に、電気的なスイッチにより、前記接続端子１ｑを介して警報音の発声や、警報用光の点滅などがなされて、これによっても、確認することができるようになる。なお、この電気的スイッチを嵌合確認窓の近傍に設けるという技術的思想は、スリーブ用ハウジング２の嵌合確認窓２ｍにおいても、適用可能である。
【産業上の利用可能性】
【００５５】
本発明に係る光コネクタ用アダプタは、ＳＣ形光コネクタプラグ用の光コネクタ用アダプタでシャッターを有するものに適用することができる。
【符号の説明】
【００５６】
１          光コネクタ用アダプタ、            １ａ        コネクタハウジング、
１ｂ        スリーブ、                        １ｃ        割りスリーブ、
１ｄ        係止片、                          １ｅ        一方の開口部、
１ｆ        他方の開口部、                    １ｇ        係止孔、
１ｈ        側壁、                            １ｊ        スリット、  
１ｋ        突起、                            １ｍ        嵌合確認窓、      
１ｎ        空間部、                          １ｐ        電気スイッチ、
１ｑ        接続端子、  
２          スリーブ用ハウジング、            ２ａ        スリーブ、
２ｂ，２ｃ  係止片、                          ２ｄ，２ｅ  側壁、
２ｆ        前方梁、                          ２ｇ        係合突起、
２ｈ        凹溝、                            ２ｉ        上部梁、
２ｊ        軸孔、                            ２ｋ      スリーブ用ハウジング、
２ｍ        嵌合確認窓、
３          スライダー、                      ３ａ        カム面、
３ｂ        側壁部、                          ３ｃ，３ｄ  梁部分、
３ｅ        突起、                            ３ｆ        位置決め突起、
３ｇ        凹部、                            ３ｈ        蓋兼用嵌合確認部材、
３ｉ        移動用突起部、                    ３ｊ        凹部、
３ｋ        位置決め端面、  
４          バネ、
５          シャッター、                      ５ａ        挿入ガイド部、
５ｂ        凹溝部、                          ５ｃ        軸、
６          光コネクタ用アダプタ、
７          スライダー、
８          光コネクタ用アダプタ、
２１        ＳＣ形光コネクタプラグ、          ２１ａ      プラグハウジング、
２１ｂ      キー突起、                        ２１ｃ      先端面、
２２        ＳＣ形光コネクタプラグ（準拠）、  ２２ａ      シャッター、
２２ｂ      プラグハウジング、
２３        ＳＣ形光コネクタプラグ（準拠）、  ２３ａ      シャッター、
２３ｂ      プラグハウジング、                ２３ｃ      バネ部材、
２３ｄ      ツマミ、                          ２３ｅ      キー突起、
２３ｆ      先端面、                          ２３ｇ      突起部、
２３ｈ      プラグフレーム、      
２４        光コネクタ用アダプタ、
２４ａ      コネクタハウジング、              ２４ｂ，２４ｃ    嵌合部、
２４ｄ      係止片、                          ２４ｅ      スリーブ。
【図１−Ａ】
2013152416.tif 000003
【図１−Ｂ】
2013152416.tif 000004
【図２】
2013152416.tif 000005
【図３】
2013152416.tif 000006
【図４−Ａ】
2013152416.tif 000007
【図４−Ｂ】
2013152416.tif 000008
【図５】
2013152416.tif 000009
【図６−Ａ】
2013152416.tif 000010
【図６−Ｂ】
2013152416.tif 000011
【図７】
2013152416.tif 000012
【図８−Ａ】
2013152416.tif 000013
【図８−Ｂ】
2013152416.tif 000014
【図９】
2013152416.tif 000015
【図１０】
2013152416.tif 000016
【図１１】
2013152416.tif 000017
【図１２】
2013152416.tif 000018
【図１３−Ａ】
2013152416.tif 000019
【図１３−Ｂ】
2013152416.tif 000020
【図１４−Ａ】
2013152416.tif 000021
【図１４−Ｂ】
2013152416.tif 000022
【図１４−Ｃ】
2013152416.tif 000023
【図１４−Ｄ】
2013152416.tif 000024
【図１５−Ａ】
2013152416.tif 000025
【図１５−Ｂ】
2013152416.tif 000026
【図１５−Ｃ】
2013152416.tif 000027
【図１５−Ｄ】
2013152416.tif 000028
【図１５−Ｅ】
2013152416.tif 000029
【図１６−Ａ】
2013152416.tif 000030
【図１６−Ｂ】
2013152416.tif 000031
【図１６−Ｃ】
2013152416.tif 000032
【図１７】
2013152416.tif 000033
【図１８】
2013152416.tif 000034
【図１９−Ａ】
2013152416.tif 000035
【図１９−Ｂ】
2013152416.tif 000036